(57)【要約】【課題】ロール部材を引き出し終わった後、次に引出しやすいように一定量巻き戻すためのロール部材用巻き戻し装置を提供する。【解決手段】ケース１と、ケース１に固定して取り付けられた固定シャフト２と、ロール部材Ｒを保持し、固定シャフト２に回転可能に取り付けられた中空の外筒３と、外筒３の内壁に長手方向に延びて形成された凸部４と、固定シャフト２に固定して取り付けられ、ストッパー部５ａと逃し溝凹部５ｂが形成されたローラ部５と、ロール部材Ｒの引き出しによる外筒３の回転により、外筒３の凸部４に当接しながらローラ部５のストッパー部５ａから逃し溝凹部５ｂまで移動する巻き戻し用シャフト６と、固定シャフト２と巻き戻し用シャフト６との間に取り付けられ、巻き戻し用シャフト６をロール部材Ｒの引き出し方向と反対方向に移動させるように付勢するスプリング７とを有する。【選択図】  図１
2004299886.tif 000002
【特許請求の範囲】
【請求項１】
ケースと、
前記ケースに固定して取り付けられたシャフトと、
ロール部材を保持し、前記シャフトに回転可能に取り付けられた中空の外筒と、
前記外筒の内壁に長手方向に延びて形成された凸部と、
前記シャフトに固定して取り付けられ、ストッパー部と逃し溝凹部が形成されたローラ部と、
前記ローラ部と外筒との間に配置され、前記ロール部材の引き出しによる外筒の回転により、前記外筒の凸部に当接しながら前記ローラ部のストッパー部から逃し溝凹部まで移動する巻き戻し部と、
前記シャフトと巻き戻し部との間に取り付けられ、前記巻き戻し部を前記ロール部材の引き出し方向と反対方向に移動させるように付勢する付勢部材と、
を有することを特徴とするロール部材用巻き戻し装置。
【請求項２】
ケースと、前記ケースに回転可能に取り付けられた第１の回転部材及び第２の回転部材を有し、前記第１の回転部材と第２の回転部材との間にロール部材を保持するロール部材用巻き戻し装置であって、
前記第１の回転部材は、前記ケースに回転可能に支持された第１のシャフトと、前記第１のシャフトの先端に取り付けられ、前記ロール部材を保持する第１の保持部と、前記第１の保持部を前記ロール部材側に付勢する第１の付勢部材とを有し、
前記第２の回転部材は、前記ケースに回転可能に支持された第２のシャフトと、前記第２のシャフトの先端に取り付けられ、前記ロール部材を保持し、基端側に間隔を隔てて仕切り部が形成された第２の保持部と、前記ケースに固定され、ストッパー部と逃し溝凹部が形成された固定部と、前記第２の保持部と固定部との間に配置され、前記ロール部材の引き出しによる前記第２の保持部の回転により、前記第２の保持部の仕切り部に当接しながら前記固定部のストッパー部から逃し溝凹部まで移動する巻き戻し部と、前記固定部と巻き戻し部との間に取り付けられ、前記巻き戻し部を前記ロール部材の引き出し方向と反対方向に移動させるように付勢する付勢部材とを有する、
ことを特徴とするロール部材用巻き戻し装置。
【請求項３】
ケースと、前記ケースに回転可能に取り付けられた第１の回転部材及び第２の回転部材を有し、前記第１の回転部材と第２の回転部材との間にロール部材を保持するロール部材用巻き戻し装置であって、
前記第１の回転部材は、前記ケースに回転可能に支持された第１のシャフトと、前記第１のシャフトの先端に取り付けられ、前記ロール部材を保持する第１の保持部と、前記第１の保持部を前記ロール部材側に付勢する第１の付勢部材とを有し、
前記第２の回転部材は、前記ケースに回転可能に支持された第２のシャフトと、前記第２のシャフトの先端に取り付けられ、前記ロール部材を保持する第２の保持部と、前記第２の保持部の基端側に設けられ、内周壁の一部に外輪内歯ギアが形成された中空のローラ案内部と、前記ケースに固定されるとともに、前記第２のシャフトが回転可能に嵌合され、外周壁の一部に外歯サンギア及びその端部にストッパー部が形成された中空の固定部と、前記ローラ案内部に形成された外輪内歯ギア及び前記固定部に形成された外歯サンギアにそれぞれ噛合する遊星ギア部と、前記ローラ案内部の内周壁と固定部の外周壁とにそれぞれ当接するフリーローラ部と、前記遊星ギア部及びフリーローラ部を回転可能に支持し、前記ロール部材の引き出しによる第２の保持部の回転により、前記遊星ギアが前記ストッパー部の位置から、前記外歯サンギアから外れる位置まで移動するまで前記遊星ギア部及びフリーローラ部を回転移動させるローラ支持ケージと、前記固定部を起点として固定部と遊星ギア部との間に取り付けられ、前記遊星ギア部を前記ロール部材の引き出し方向と反対方向に移動させるように付勢する付勢部材とを有する、
ことを特徴とするロール部材用巻き戻し装置。
【請求項４】
前記ケースは、前記第１の回転部材及び第２の回転部材の上方に予備のロール部材を収納するための予備収納部と、前記ケースの側壁を支点として開閉可能に取り付けられ、前記予備収納部に収納された予備のロール部材を閉状態で支持する支持部と、前記ロール部材の押し込みにより開状態になった支持部を閉状態に回動させるように付勢する戻り付勢部材とを有することを特徴とする請求項２又は３に記載のロール部材用巻き戻し装置。
【発明の詳細な説明】
【０００１】
【発明の属する技術分野】
本発明は、糸状体、線状体又は帯状体（例えば紙、ビニールシート、カーペット等）をロール状に巻いて構成されているロール部材を巻き戻すためのロール部材用巻き戻し装置に関し、特に、ロール部材を引き出し終わった後、次に引出しやすいように一定量巻き戻すためのロール部材用巻き戻し装置に関する。
【０００２】
【従来の技術】
従来、糸状体、線状体又は帯状体（例えば紙、ビニールシート、カーペット等）をロール状に巻いて構成されているロール部材を装着するためのロールホルダは、ヒンジ部により回転可能に支持されてロール部材の上面側を覆うロールカバーの下縁部に、直刃状又は鋸刃状の切断部を形成しておき、引き出されたロール部材をカッターで切断するか又は引きちぎることにより切断するように構成されているものが広く知られている。
【０００３】
例えば図１６は従来のトイレットペーパーホルダの一例を示した斜視図である。図１６に示すように、トイレットペーパーホルダは、平面形状が略コ字形状の本体部１００を有する。本体部１００は、トイレの壁等に固定される後板部１００ａと、後板部１００ａの両端から前方に突き出した一対の側板部１００ｂとからなる。一対の側板部１００ｂの先端部間には着脱可能に取り付けられた軸状のロール支持部１０１が固定して取り付けられている。一対の側板部１００ｂの基端上部間には支軸を支点として紙切板１０２が上下回動可能に取り付けられている。
【０００４】
従来のトイレットペーパーホルダの場合、軸状のロール支持部１０１をトイレットペーパーロール１０３の中心部の円形の中空部に挿通してこれを回転可能に支持する。トイレットペーパー１０３を取り出す際には、ペーパー端部を手に持ってこれを前方に引き出し、そして所定長さのところで紙切板１０２先端の切断部１０４で切断する。
【０００５】
【発明が解決しようとする課題】
従来のトイレットペーバーホルダのようなロールホルダでは、切断した後にロール部材の先端がロール部材の表面に重なるため、次の使用時にその先端部をロール部材から取り出しにくくなり、使い勝手は悪いという課題があった。
【０００６】
本発明は、上記課題を解決するためになされたものであり、ロール部材を引き出し終わった後、次に引出しやすいように一定量巻き戻すためのロール部材用巻き戻し装置を提供することを目的とする。
【０００７】
【課題を解決するための手段】
本発明の第１のロール部材用巻き戻し装置は、ケースと、前記ケースに固定して取り付けられたシャフトと、ロール部材を保持し、前記シャフトに回転可能に取り付けられた中空の外筒と、前記外筒の内壁に長手方向に延びて形成された凸部と、前記シャフトに固定して取り付けられ、ストッパー部と逃し溝凹部が形成されたローラ部と、前記ローラ部と外筒との間に配置され、前記ロール部材の引き出しによる外筒の回転により、前記外筒の凸部に当接しながら前記ローラ部のストッパー部から逃し溝凹部まで移動する巻き戻し部と、前記シャフトと巻き戻し部との間に取り付けられ、前記巻き戻し部を前記ロール部材の引き出し方向と反対方向に移動させるように付勢する付勢部材と、を有することを特徴とするものである。
【０００８】
本発明の第２のロール部材用巻き戻し装置は、ケースと、前記ケースに回転可能に取り付けられた第１の回転部材及び第２の回転部材を有し、前記第１の回転部材と第２の回転部材との間にロール部材を保持するロール部材用巻き戻し装置であって、前記第１の回転部材は、前記ケースに回転可能に支持された第１のシャフトと、前記第１のシャフトの先端に取り付けられ、前記ロール部材を保持する第１の保持部と、前記第１の保持部を前記ロール部材側に付勢する第１の付勢部材とを有し、前記第２の回転部材は、前記ケースに回転可能に支持された第２のシャフトと、前記第２のシャフトの先端に取り付けられ、前記ロール部材を保持し、基端側に間隔を隔てて仕切り部が形成された第２の保持部と、前記ケースに固定され、ストッパー部と逃し溝凹部が形成された固定部と、前記第２の保持部と固定部との間に配置され、前記ロール部材の引き出しによる前記第２の保持部の回転により、前記第２の保持部の仕切り部に当接しながら前記固定部のストッパー部から逃し溝凹部まで移動する巻き戻し部と、前記固定部と巻き戻し部との間に取り付けられ、前記巻き戻し部を前記ロール部材の引き出し方向と反対方向に移動させるように付勢する付勢部材とを有することを特徴とするものである。
【０００９】
本発明の第３のロール部材用巻き戻し装置は、ケースと、前記ケースに回転可能に取り付けられた第１の回転部材及び第２の回転部材を有し、前記第１の回転部材と第２の回転部材との間にロール部材を保持するロール部材用巻き戻し装置であって、前記第１の回転部材は、前記ケースに回転可能に支持された第１のシャフトと、前記第１のシャフトの先端に取り付けられ、前記ロール部材を保持する第１の保持部と、前記第１の保持部を前記ロール部材側に付勢する第１の付勢部材とを有し、前記第２の回転部材は、前記ケースに回転可能に支持された第２のシャフトと、前記第２のシャフトの先端に取り付けられ、前記ロール部材を保持する第２の保持部と、前記第２の保持部の基端側に設けられ、内周壁の一部に外輪内歯ギアが形成された中空のローラ案内部と、前記ケースに固定されるとともに、前記第２のシャフトが回転可能に嵌合され、外周壁の一部に外歯サンギア及びその端部にストッパー部が形成された中空の固定部と、前記ローラ案内部に形成された外輪内歯ギア及び前記固定部に形成された外歯サンギアにそれぞれ噛合する遊星ギア部と、前記ローラ案内部の内周壁と固定部の外周壁とにそれぞれ当接するフリーローラ部と、前記遊星ギア部及びフリーローラ部を回転可能に支持し、前記ロール部材の引き出しによる第２の保持部の回転により、前記遊星ギアが前記ストッパー部の位置から、前記外歯サンギアから外れる位置まで移動するまで前記遊星ギア部及びフリーローラ部を回転移動させるローラ支持ケージと、前記固定部を起点として固定部と遊星ギア部との間に取り付けられ、前記遊星ギア部を前記ロール部材の引き出し方向と反対方向に移動させるように付勢する付勢部材とを有することを特徴とするものである。
【００１０】
前記ケースは、前記第１の回転部材及び第２の回転部材の上方に予備のロール部材を収納するための予備収納部と、前記ケースの側壁を支点として開閉可能に取り付けられ、前記予備収納部に収納された予備のロール部材を閉状態で支持する支持部と、前記ロール部材の押し込みにより開状態になった支持部を閉状態に回動させるように付勢する戻り付勢部材とを有してもよい。
【００１１】
【発明の実施の形態】
以下、本発明の実施の形態について図面を参照して説明する。
【００１２】
（第１の実施形態例）
図１（Ａ）は、本発明の第１の実施形態例に係るロール部材用巻き戻し装置の内部構成を示す正面断面図、（Ｂ）はその動作を説明するための説明図、図２（Ａ）は、本発明の第１の実施形態例に係るロール部材用巻き戻し装置の内部構成を示す側面断面図、（Ｂ）はその正面図、（Ｃ）は、第１の実施形態例の変形例を示す斜視図、図３は、本発明の第１の実施形態例に係るロール部材用巻き戻し装置を示す分解斜視図である。
【００１３】
図１〜図３に示すように、本発明の第１の実施形態例に係るロール部材用巻き戻し装置は、支持台１ａと、支持台１ａに固定して取り付けられた固定シャフト２と、ロール部材Ｒ（図１（Ｂ）参照）を保持し、固定シャフト２に回転可能に取り付けられた中空の外筒３と、外筒３の内壁に長手方向に延びて形成された凸部４と、固定シャフト２に固定して取り付けられ、凸状のストッパー部５ａと溝状の逃し溝凹部５ｂが形成された一対のローラ部５と、ローラ部５と外筒３との間の空間部に配置され、ロール部材Ｒの引き出しによる外筒３の回転により、外筒３の凸部４に当接しながらローラ部５のストッパー部５ａから逃し溝凹部５ｂまで移動する巻き戻し用シャフト６（巻き戻し部）と、固定シャフト２と巻き戻し用シャフト６との間に取り付けられ、巻き戻し用シャフト６をロール部材Ｒの引き出し方向と反対方向に移動させるように付勢する板バネ７とを有する。
【００１４】
外筒３の正面部３ａ及び背面部３ｂには固定シャフト２を回転可能に取り付けるためのベアリング８が設けられている。
【００１５】
外筒３内の凸部４は、８〜１２程度等間隔に形成されている。
【００１６】
また、板バネ７は、２つのローラ部５の間に配置され、その一端は固定シャフト２を起点として取り付けられ、その他端に巻き戻し用シャフト６が取り付けられている。板バネ７には、ある程度の張力が与えられている。
【００１７】
次に、本発明の第１の実施形態例に係るロール部材用巻き戻し装置の動作を説明する。
【００１８】
まず、糸状体、線状体又は帯状体（例えば紙、ビニールシート、カーペット等）をロール状に巻いて構成されているロール部材Ｒの中心軸芯の中に外筒３を挿入し空転しないように設置する。これによってロール部材Ｒと外筒３は一体となって回転可能となる。
【００１９】
次いで、ロール部材Ｒを引き出すことにより、外筒３は図１（Ａ）の矢印方向（反時計回り方向）に回転する。その際、外筒３内の凸部４により、巻き戻し用シャフト６が矢印方向に移動し、これに伴い板バネ７の張力が強くなる。
【００２０】
次いで、巻き戻し用シャフト６は、ローラ部５の外周を回って、ストッパー部５ａから逃し溝凹部５ｂに達する。その際、巻き戻し用シャフト６（点線で示す）は送りこまれた外筒３の凸部４から外れ、板バネ７の付勢力によって巻き戻ろうとするが、次に移動してくる隣接する凸部４により反転が阻まれて、凸部４の間内で反復しながら、逃し溝凹部５ｂ内に留まる。つまり、外筒３が何回転しても、巻き戻し用シャフト６は逃し溝凹部５ｂを越えることはない。
【００２１】
次いで、ロール部材Ｒの引き出しを終了し、適量切り取ると、巻き戻し用シャフト６は、板バネ７の付勢力により逆転し、凸部４を押しながらストッパー部５ａの位置まで戻る。これによって、外筒３は、時計回り方向に回転し、それに伴い、ロール部材Ｒの先端部は、切断した地点Ｔ１から約１８０度〜２７０度の位置Ｔ２まで戻されて停止するので、ロール部材Ｒの自重により、ロール部材の先端部は位置Ｔ３まで垂れ下がった状態になる（図１（Ｂ）参照）。
【００２２】
本発明の第１の実施形態例によれば、引き出す長さに関係なく、どの箇所で切断しても、常に一定量の長さが垂れ下がるので、次の作業をする時もロール部材の引き出しが容易になる。また、板バネ７の付勢力により、手前に余分に流れ出すこともなく、引出し作業を円滑に行うことが可能となる。
【００２３】
図２（Ｃ）は、第１の実施形態例の変形例を示す斜視図である。図２（Ｃ）に示すように、外筒３の長手方向の幅よりも長い幅を有するロール部材Ｒの巻き戻しのために用いることも可能である。
【００２４】
（第２の実施形態例）
図４は本発明の第２の実施形態例に係るロール部材用巻き戻し装置を示す正面断面図、図５は本発明の第２の実施形態例に係るロール部材用巻き戻し装置の第２の保持部を示し、（Ａ）はその側面図、（Ｂ）はその背面図、図６は本発明の第２の実施形態例に係るロール部材用巻き戻し装置を示す側面断面図、図７は本発明の第２の実施形態例に係るロール部材用巻き戻し装置の動作を説明するための説明図、図８は本発明の第２の実施形態例に係るロール部材用巻き戻し装置の巻き戻し部の動作を説明するための説明図である。
【００２５】
図４〜図８に示すように、本発明の第２の実施形態例に係るロール部材用巻き戻し装置は、ロール部材Ｒを収納するケース１ｂと、ケース１ｂに回転可能に取り付けられた第１の回転部材９及び第２の回転部材１０を有し、第１の回転部材９と第２の回転部材１０との間にトイレットペーパ等のロール部材Ｒを保持するように構成されている。
【００２６】
第１の回転部材９は、ケース１ｂに回転可能に支持された第１のシャフト１１と、第１のシャフト１１の先端に取り付けられ、ロール部材Ｒを保持する第１の保持部１２と、第１の保持部１２をロール部材Ｒ側に付勢する第１のスプリング１３とを有する。
【００２７】
第１の保持部１２は、第１のスプリング１３によって水平方向にスライドできるので、ロール部材Ｒの芯の太さ及び長さなどに微妙な差があっても、ロール部材Ｒを上部側から挿入することにより、容易にワンタッチで装着することができる。また、第１の保持部１２の先端面は、中心位置に向かって傾斜状に形成されているので、多少の変芯があっても、数回の回転により次第に中心位置に安定する。
【００２８】
第２の回転部材１０は、ケース１ｂに回転可能に支持された第２のシャフト１４と、第２のシャフト１４の先端に取り付けられ、ロール部材Ｒを保持し、基端側に間隔を隔てて仕切り部１５（図５（Ｂ）参照）が形成された第２の保持部１６と、ケース１ｂに固定され、側壁状のストッパー部１７ａ（図７参照）と溝状の逃し溝凹部１７ｂ（図６参照）が形成された固定部１７と、第２の保持部１６と固定部１７との間に配置され、ロール部材Ｒの引き出しによる第２の保持部１６の回転により、第２の保持部１６の仕切り部１５に当接しながら固定部１７のストッパー部１７ａから逃し溝凹部１７ｂまで移動する巻き戻し用ボール１８（巻き戻し部）と、固定部１７を起点として固定部１７と巻き戻し用ボール１８との間に取り付けられ、巻き戻し用ボール１８をロール部材Ｒの引き出し方向と反対方向に移動させるように付勢する第２のスプリング１９とを有する。
【００２９】
ケース１ｂには、ロール部材Ｒのロールを切断するための切断部２０が設けられている。また、ケース１ｂの下部には、ロール部材Ｒを必要以上に下部に垂れ下がらないように規制するための規制板３９が設けられている（図８参照）。
【００３０】
第２の保持部１６の先端面は、中心位置に向かって傾斜状に形成され、かつロール部材Ｒの回り止め用の突起部１６ａが形成されている。
【００３１】
第２の保持部１６の仕切り部１５は、８〜１２程度等間隔に設けられている。
【００３２】
第２のスプリング１９は、その一端が固定部１７に形成されたスプリング固定孔１７ｃ内（図６参照）に固定して取り付けられ、その他端が巻き戻し用ボール１８に取り付けられている。
【００３３】
次に、本発明の第２の実施形態例に係るロール部材用巻き戻し装置の動作を説明する。
【００３４】
まず、左右に間隔を隔てている第１の回転部材９及び第２の回転部材１０の間にロール部材Ｒを上部側から挿入して、第１の回転部材９を若干基端側に押し広げた後、第１のスプリング１３により第１の回転部材９が元の位置に戻されて、ロール部材Ｒを第１の回転部材９及び第２の回転部材１０で挟み込んで保持させる。
【００３５】
次いで、ロール部材Ｒを引き出すことにより、第１の回転部材９の第１の保持部１２及び第２の回転部材１０の第２の保持部１６が回転する。その際、巻き戻し用ボール１８は、第２の保持部１６の仕切り部１５の間に嵌り、仕切り部１５の側壁により回転され、板バネ７の張力が強くなる。
【００３６】
次いで、巻き戻し用ボール１８が、図７のストッパー部１７ａの位置（実線）から矢印方向に移動し、逃し溝凹部１７ｂの位置（点線）まで達したとき、巻き戻し用ボール１８は、固定部１７に形成された溝状に形成された逃し溝凹部１７ｂ内に沈み（図６参照）、第２の保持部１６の仕切り部１５から外れ、第２のスプリング１９の付勢力によって巻き戻ろうとするが、隣接する仕切り部１５により反転が阻まれて、仕切り部１５内で反復しながら、その場に留まる。つまり、第２の保持部１６が何回転しても、巻き戻し用ボール１８は逃し溝凹部１７ｂを越えることはない。
【００３７】
次いで、ロール部材Ｒの引き出しを終了し、適量切り取ると、巻き戻し用ボール１８は、第２のスプリング１９の付勢力により逆転し、ストッパー部１７ａの位置まで戻り、それに伴い第２の保持部１６は、時計回り方向に反転する。これによって、図８に示すように、ロール部材Ｒの先端部Ｒ１は、切断した地点Ｔ１から約１８０度〜２７０度の位置Ｔ２まで戻されて停止するので、ロール部材Ｒの自重により、ロール部材Ｒの先端部Ｒ１は位置Ｔ３まで垂れ下がった状態になる。
【００３８】
本発明の第２の実施形態例によれば、引き出す長さに関係なく、どの箇所で切断しても、常に一定量の長さが垂れ下がるので、次の作業をする時もロール部材の引き出しが容易になる。また、第２のスプリング１９の付勢力により、手前に余分に流れ出すこともなく、引出し作業を円滑に行うことが可能となる。
【００３９】
また、固定されたケース１ｂに切断部２０が設置されているので、ロール部材Ｒの切断時にも切断部２０を手で抑える必要がなく、片手で切断作業を行うことができる。
【００４０】
また、第１の実施形態例のように固定シャフト２をロール部材Ｒに通すのではなく、左右に間隔を隔てている第１の回転部材９及び第２の回転部材１０の間にロール部材Ｒをはさみ込めばよく、ワンタッチでの着脱が可能である。
【００４１】
（第３の実施形態例）
図９は本発明の第３の実施形態例に係るロール部材用巻き戻し装置の内部構成を示す側面断面図、図１０（Ａ）及び（Ｂ）は、本発明の第３の実施形態例に係るロール部材用巻き戻し装置の動作を説明するための説明図、図１１は本発明の第３の実施形態例に係るロール部材用巻き戻し装置を示す分解斜視図、図１２（Ａ）は外輪内歯ギア、遊星ギア部及びフリーローラ部を示す斜視図、（Ｂ）は遊星ギア部を示す側面図、（Ｃ）はフリーローラ部を示す側面図、図１３（Ａ）はローラ支持ケージ、付勢部材、遊星ギア部及びフリーローラ部を示す側面図、（Ｂ）はピンを示す正面断面図、（Ｃ）は支持板を示す正面図、図１４は固定部、遊星ギア部及びフリーローラ部を示す斜視図である。
【００４２】
本発明の第３の実施形態例に係るロール部材用巻き戻し装置は、第２の実施形態例と同様に、ロール部材Ｒを収納するケース１ｃと、ケース１ｃに回転可能に取り付けられた第１の回転部材９及び第２の回転部材１０を有し、第１の回転部材９と第２の回転部材１０との間にトイレットペーパ等のロール部材Ｒを保持するように構成されている。
【００４３】
第１の回転部材９は、第２の実施例のものと構成、動作は同様であるので、説明を省略する。
【００４４】
第２の回転部材１０は、図９〜図１４に示すように、ケース１ｃに回転可能に支持された第２のシャフト２１と、第２のシャフト２１の先端に取り付けられ、ロール部材Ｒを保持する第２の保持部２２と、第２の保持部２２の基端側に設けられ、内周壁の一部に外輪内歯ギア２３が形成された中空のローラ案内部２４と、ケース１ｃに固定され、第２のシャフト２１が回転可能に嵌合され、外周壁の一部に外歯サンギア２５及びその端部にストッパー部２６（図１０、１１参照）が形成された中空の固定部２７と、ローラ案内部２４に形成された外輪内歯ギア２３及び固定部２７に形成された外歯サンギア２５にそれぞれ噛合する１つの遊星ギア部２８と、ローラ案内部２４の内周壁２４ａと固定部２７の外周壁２７ａとにそれぞれ回転可能に当接する３つのフリーローラ部２９と、遊星ギア部２８及びフリーローラ部２９を回転可能に支持し、ロール部材Ｒの引き出しによる第２の保持部２２の回転により、遊星ギア部２８がストッパー部２６の位置から、外輪内歯ギア２３及び外歯サンギア２５から外れる位置に移動するまで遊星ギア部２８及びフリーローラ部２９を回転移動させるローラ支持ケージ３０と、固定部２７を起点として固定部２７と遊星ギア部２８との間に取り付けられ、遊星ギア部２８をロール部材Ｒの引き出し方向と反対方向に移動させるように付勢する付勢部材３１とを有する。
【００４５】
第２の保持部２２の先端側には、ロール部材Ｒの回り止め用の突起部２２ａが形成されている。
【００４６】
図１１に示すように、３つのフリーローラ部２９は約１２０度の等間隔の位置で配置され、全てのフリーローラ部２９は、中空のピン３２によってローラ支持ケージ３０の２つの支持板３０ａの間に回転可能に取り付けられる。
【００４７】
図１３（Ｃ）に示すように、支持板３０ａの中央部には、固定部２７が嵌る第１の嵌合孔３０ｂが形成され、その周縁部の３箇所には、ピン３２が嵌る第２の嵌合孔３０ｃが形成されている。
【００４８】
また、図１３（Ｂ）に示すように、ピン３２は弾力性のある部材で作られ、断面略Ｃ字状に形成されている。ピン３２の横幅Ｌ１は支持板３０ａの第２の嵌合孔３０ｃの直径と同一であり、その縦幅Ｌ２は支持板３０ａの第２の嵌合孔３０ｃの直径よりもやや幅広に形成されている。このように形成されたピン３２を２つの支持板３０ａの第２の嵌合孔３０ｃ内に打ち込むことにより、２つの支持板３０ａと、その間に設置された遊星ギア部２８及びフリーローラ部２９は、籠（ケージ）状に一体に構成される（図１３（Ａ）参照）。
【００４９】
図１２（Ｂ）に示すように、遊星ギア部２８の外周は、一体となっているフリーローラ部２９の外周と同径であるが、ギアの部分だけ凹状になっている。また、遊星ギア部２８と一体となっていないフリーローラ部２９は、図１２（Ｃ）に示すように、外輪内輪ギア２３に噛み合わないように、その先端部２９ａが小径の円筒状に形成されている。
【００５０】
遊星ギア部２８及びフリーローラ部２９は、ローラ支持ケージ３０によって公転する。また、遊星ギア部２８は、ローラ案内部２４の外輪内歯ギア２３及び固定部２７の外歯サンギア２５にそれぞれ噛合しながら自転し、フリーローラ部２９は、ローラ案内部２４の内壁２４ａ（図１１、１２参照）に当接しながら自転する。フリーローラ部２９は、遊星ギア部２８がローラ支持ケージ３０の周りを周回するときに、センタ位置を保持して振れをなくすために設けられている。
【００５１】
固定部２７の外歯サンギア２５は、外周のうち約２／３の部分に設けられ、残りの１／３の部分はギアが設けられていない（図１０（Ａ）及び（Ｂ）参照）。
【００５２】
固定部２７の基端側には、ケース１ｃに螺着するためのネジ部２７ｂが形成されている。なお、図９中、３３は、ネジ部２７ｂでケース１ｃに螺着した固定部２７の基端部を固定するための固定リング、３４は、第２のシャフト２１と嵌り合って、遊びを持たせてフリーに回転できるようにするためのリングである。
【００５３】
遊星ギア部２８は、ローラ案内部２４の外輪内歯ギア２３により自転する。つまり外輪内歯ギア２３が動輪となる。また、遊星ギア部２８は、外輪内歯ギア２３によって、固定部２７の外歯サンギア２５の周囲を公転する。
【００５４】
遊星ギア部２８の外輪内歯ギア２３及び外歯サンギア２５に対する周速は、次式のようになる。
【００５５】
遊星ギア部２８のｒｐｍ＝外輪内歯ギア２３のｒｐｍ×外輪内歯ギア２３の歯数／（外輪内歯ギア２３の歯数＋外歯サンギア２５の歯数）
付勢部材３１は、図１１に示すように、渦巻き状に巻かれた２つのスプリング部３１ａと、２つのスプリング部３１ａを連結し、固定部２７に形成された溝２７ｃに挿入され支持される連結部３１ｂと、２つのスプリング部３１ａの先端部を互いに直角に折り曲げて形成されたピン挿入部３１ｃとからなる。付勢部材３１のピン挿入部３１ｃは、遊星ギア部２８及びフリーローラ部２９を回転可能に支持するピン３２の中に挿入される（図１１、図１３（Ａ）参照）。
【００５６】
次に、本発明の第３の実施形態例に係るロール部材用巻き戻し装置の動作を説明する。
【００５７】
まず、左右に間隔を隔てている第１の回転部材９及び第２の回転部材１０の間にロール部材Ｒを上部側から挿入して、第１の回転部材９を若干基端側に押し広げた後、第１のスプリング１３により第１の回転部材９を元の位置に戻して、ロール部材Ｒを第１の回転部材９及び第２の回転部材１０で挟み込んで保持する。
【００５８】
次いで、ロール部材Ｒを引き出すことにより、遊星ギア部２８は、第２の保持部２２の外輪内歯ギア２３により、固定部２７の外歯サンギア２５の周りを自転しながら、ローラ支持ケージ３０により、３つのフリーローラ部２９が一体となって図１０（Ａ）の矢印方向（反時計回り方向）に公転する。
【００５９】
その際、固定部２７の外歯サンギア２５は、円周の約２／３で終わり、残りの１／３にはギアがないので、遊星ギア部２８は、この時点で噛み合いが終了して、その場で空転することになる（図１０（Ｂ）参照）。さらに、遊星ギア部２８は付勢部材３１により戻されようとするが、外輪サンギア２５の終端部及び外輪内歯ギア２３の次に移動してくる歯によって反転を妨げられる。なお、フリーローラ部２９とローラ案内部２４の内壁２４ａ（ギアのない部分）では多少の摩擦が生じているが、密着していないので、遊星ギア部２８を含むローラ支持ケージ３０全体を公転するまでには至らない。
【００６０】
次いで、ロール部材Ｒの引き出しを終了し、適量切り取ると、遊星ギア部２８は、付勢部材３１の付勢力により逆転し、ストッパー部２６の位置まで戻る。この時、遊星ギア部２８により外輪内歯ギア２３とともに第２の保持部２２は、時計回り方向に回転する。これによって、ロール部材Ｒは、切断した地点から約１８０度〜２７０度の位置まで戻されて停止するので、ロール部材Ｒの自重により、ロールの先端部Ｒ１が垂れ下がる。この動作は、第２の実施形態例と同様である。
【００６１】
本発明の第３の実施形態例によれば、引き出す長さに関係なく、どの箇所で切断しても、常に一定量の長さが垂れ下がるので、次の作業をする時もロール部材の引き出しが容易になる。また、付勢部材３１の付勢力により、手前に余分に流れ出すこともなく、引出し作業を円滑に行うことが可能となる。
【００６２】
また、遊星ギア部２８を含むギアシステムを採用することにより、第２の実施形態例に比べ、スムーズな巻き戻し作用が得られる。
【００６３】
（第４の実施形態例）
図１５は、本発明の第４の実施形態例に係るロール部材用巻き戻し装置の内部構成を示す正面断面図である。
【００６４】
第４の実施形態例では、ケースが予備のロール部材Ｒ２を収納できるように構成されている。このケース１ｄは、第１の回転部材９及び第２の回転部材１０の上方に予備のロール部材Ｒ２を収納するための予備収納部３５と、ケース１ｄの側壁を支点３６ａとして開閉可能に取り付けられ、予備収納部３５に収納された予備のロール部材Ｒ２を閉状態で支持する支持プレート３６と、ロール部材Ｒの押し込みにより開状態になった支持プレート３６を閉状態に回動させるように付勢するリターンスプリング３７（戻り付勢部材）とを有する。
【００６５】
第４の実施形態例によれば、上方より予備のロール部材Ｒ２を重ねて上方から押し込むと、予備のロール部材Ｒ２は、支持プレート３６で保持されながら、予備収納部３５内に収納される。また、最初のロール部材Ｒ３は下に下がり、第１の回転部材９及び第２の回転部材１０に保持される。その際、多少の中心のずれは、何回転かの使用後に、正規の位置に安定する。
【００６６】
ケース１ｄの下部には、ロール部材Ｒ３を必要以上に下部に垂れ下がらないように規制するための規制板３８が設けられている。また、ロール部材Ｒ３を使い終わって芯だけとなった時は、新たな予備のロール部材を挿入することによって、予備のロール部材Ｒ２が下がり、規制板３８に干渉されることなく、芯のみが排出される。
【００６７】
本発明は、上記実施の形態に限定されることはなく、特許請求の範囲に記載された技術的事項の範囲内において、種々の変更が可能である。
【００６８】
【発明の効果】
本発明によれば、引き出す長さに関係なく、どの箇所で切断しても、常に一定量の長さが垂れ下がるので、次の作業をする時もロール部材の引き出しが容易になる。また、付勢部材の付勢力により、手前に余分に流れ出すこともなく、引出し作業を円滑に行うことが可能となる。
【図面の簡単な説明】
【図１】（Ａ）は、本発明の第１の実施形態例に係るロール部材用巻き戻し装置の内部構成を示す正面断面図、（Ｂ）はその動作を説明するための説明図である。
【図２】（Ａ）は、本発明の第１の実施形態例に係るロール部材用巻き戻し装置の内部構成を示す側面断面図、（Ｂ）はその正面図、（Ｃ）は、第１の実施形態例の変形例を示す斜視図である。
【図３】本発明の第１の実施形態例に係るロール部材用巻き戻し装置を示す分解斜視図である。
【図４】本発明の第２の実施形態例に係るロール部材用巻き戻し装置を示す正面断面図である。
【図５】本発明の第２の実施形態例に係るロール部材用巻き戻し装置の第２の保持部を示し、（Ａ）はその側面図、（Ｂ）はその背面図である。
【図６】本発明の第２の実施形態例に係るロール部材用巻き戻し装置を示す側面断面図である。
【図７】本発明の第２の実施形態例に係るロール部材用巻き戻し装置の動作を説明するための説明図である。
【図８】本発明の第２の実施形態例に係るロール部材用巻き戻し装置の巻き戻し部の動作を説明するための説明図である。
【図９】本発明の第３の実施形態例に係るロール部材用巻き戻し装置の内部構成を示す側面断面図である。
【図１０】（Ａ）及び（Ｂ）は、本発明の第３の実施形態例に係るロール部材用巻き戻し装置の動作を説明するための説明図である。
【図１１】本発明の第３の実施形態例に係るロール部材用巻き戻し装置を示す分解斜視図である。
【図１２】（Ａ）は外輪内歯ギア、遊星ギア部及びフリーローラ部を示す斜視図、（Ｂ）は遊星ギア部を示す側面図、（Ｃ）はフリーローラ部を示す側面図である。
【図１３】（Ａ）はローラ支持ケージ、付勢部材、遊星ギア部及びフリーローラ部を示す側面図、（Ｂ）はピンを示す正面断面図、（Ｃ）は支持板を示す正面図である。
【図１４】固定部、遊星ギア部及びフリーローラ部を示す斜視図である。
【図１５】本発明の第４の実施形態例に係るロール部材用巻き戻し装置の内部構成を示す正面断面図である。
【図１６】従来のトイレットペーパーホルダの一例を示した斜視図である。
【符号の説明】
Ｒ：ロール部材
１ａ：支持台
１ｂ：ケース
１ｃ：ケース
１ｄ：ケース
２：固定シャフト
３：外筒
４：凸部
５ａ：ストッパー部
５ｂ：逃し溝凹部
５：ローラ部
６：巻き戻し用シャフト
７：板バネ
８：ベアリング
９：第１の回転部材
１０：第２の回転部材
１１：第１のシャフト
１２：第１の保持部
１３：第１のスプリング
１４：第２のシャフト
１５：仕切り部
１６：第２の保持部
１７ａ：ストッパー部
１７ｂ：逃し溝凹部
１７ｃ：スプリング固定孔（起点）
１７：固定部
１８：巻き戻し用ボール
１９：第２のスプリング
２０：切断部
２１：第２のシャフト
２２：第２の保持部
２３：外輪内歯ギア
２４：ローラ案内部
２５：外歯サンギア
２６：ストッパー部
２７：固定部
２８：遊星ギア部
２９：フリーローラ部
３０：ローラ支持ケージ
３１：付勢部材
３２：ピン
３３：固定リング
３４：リング
３５：予備収納部
３６：支持プレート
３７：リターンスプリング
３８：規制板
３９：規制板
【図１】
2004299886.tif 000003
【図２】
2004299886.tif 000004
【図３】
2004299886.tif 000005
【図４】
2004299886.tif 000006
【図５】
2004299886.tif 000007
【図６】
2004299886.tif 000008
【図７】
2004299886.tif 000009
【図８】
2004299886.tif 000010
【図９】
2004299886.tif 000011
【図１０】
2004299886.tif 000012
【図１１】
2004299886.tif 000013
【図１２】
2004299886.tif 000014
【図１３】
2004299886.tif 000015
【図１４】
2004299886.tif 000016
【図１５】
2004299886.tif 000017
【図１６】
2004299886.tif 000018